(57)【要約】【課題】簡単で確実な機能を持つバックルとバンドとの組み合わせの提供。【解決手段】バックル１は、バンド１１、１３が通されるための左右一対のスリット５、５’と、中央に位置しており、上方に突出する突起７とを備えている。バックルとバンドとの組み合わせ９は、上記バックル１とバンド１１とからなる。このバンドは、上記の突起を係止する孔を備えている。好ましくはバンドの孔は複数である。この突起を備えたバックルによって、スリットを通して装着したバンドが確実に留められる。したがって、バンドの材質が、薄い場合や、摩擦係数が小さい場合でも効果がある。このバックルを含むバックルとバンドとの組み合わせは、極めて簡単な構造でありながら確実に機能を発揮することができる。【選択図】  図２
2004275204.tif 000002
【特許請求の範囲】
【請求項１】
バンドが通されるための左右一対のスリットと、この両スリットの間に位置しており、上方に突出する突起とを備えたバックル。
【請求項２】
バックルと、第一のバンドと、第二のバンドとからなり、
このバックルは、一対のスリットとこの両スリットの間に位置して上方に突出する突起とを備えており、
第一のバンドは、孔を備えており、一方のスリットを下から上に通されて他方のスリットを上から下に通されるとともに、孔が突起に係止されるように配され、第二のバンドは、他方のスリットを下から上に通されて一方のスリットを上から下に通されるとともに、第一のバンドの上側に重ねられるように配されているバックルとバンドとの組み合わせ。
【請求項３】
上記バンドは、上記の突起を係止する孔を複数備えている請求項２のバックルとバンドとの組み合わせ。
【発明の詳細な説明】
【０００１】
【発明の属する技術分野】
本発明は、バンドを締めて留めることができるバックルとバンドとの組み合わせに関する。
【０００２】
【従来の技術】
スリットにバンドを通して使用する構造は、肩に掛けて持ち運ばれるリュックサック、水筒等の吊り留め具に、よく用いられている。図４は、従来のバックルとバンドとの組み合わせの一例を示した断面図である。この図に示されているバックルとバンドとの組み合わせ３１は、バックル３３に設けられた一対のスリット３５及び３５’にバンド３７が通されてスリット３５を折り返すことにより、バンド３７が固定されている。バンドの固定は、バンド３７が引っ張られることによりスリット３５及び３５’の角部でバンド３７自身が押しつけられることによっている。
【０００３】
【発明が解決しようとする課題】
バックルとバンドとからなる組み合わせは、簡単である上に比較的十分な掛け留め機能を果たすので多くのところに使用されている。しかし、特に、バンドが薄く、剛性がある場合等は、バンドが緩み、又は滑ることがある。本発明は、このような実情に鑑みてなされたものであり、簡単な構造で確実に機能を果たすバックルとバンドとの組み合わせ構造の提供を目的とする。
【０００４】
【課題を解決するための手段】
本発明に係るバックルは、バンドが通されるための左右一対のスリットと、この両スリットの間に位置しており、上方に突出する突起とを備えている。このバックルを使用すれば、バンドの材質にかかわらず、バンドが確実に締め付けられる。
【０００５】
本発明に係るバックルとバンドの組み合わせは、バックルと、第一のバンドと、第二のバンドとからなる。このバックルは、一対のスリットとこの両スリットの間に位置して上方に突出する突起とを備えている。第一のバンドは、孔を備えており、一方のスリットを下から上に通されて他方のスリットを上から下に通されるとともに、孔が突起に係止されるように配されている。第二のバンドは、他方のスリットを下から上に通されて一方のスリットを上から下に通されるとともに、第一のバンドの上側に重ねられるように配されている。このバックルとバンドとの組み合わせは、バックルの突起とバンドの孔とによりバンドの滑りがない。
【０００６】
好ましくは、上記のバンドは突起を係止するための孔を複数個備えている。このバックルとバンドとの組み合わせは、バンドの孔を移動させることにより、締めるバンドの長さを調節することができる。
【０００７】
【発明の実施の形態】
以下、適宜図面が参照されつつ、好ましい実施形態に基づいて本発明が詳細に説明される。
【０００８】
図１は、本発明の一実施形態に係るバックル１が示された斜視図である。このバックル１は、本体３と、一対のスリット５及び５’と、そのスリット間の中央部に突起７とを備えている。突起７は、用いられるバンドの厚さに応じて適宜大きさが設定される。
【０００９】
図２は、図１のバックル１が用いられたバックルとバンドの組み合わせ９が示された断面図である。この例では、２本の異なる種類のバンド１１及び１３が使用されている。スリット５及び５’間を通されるバンド１１は、孔１５を備えており、突起７はその孔１５に填められている。他方のバンド１３は、上記バンド１１と重ねられて両スリット５及び５’に通される。このバンド１３は、バンド１１が突起に係止されているのを覆うとともに、スリット角部１７及び１９でバンド１１を留める役割を果たしている。バンド１１は、角部２１及び２３でバンド１３を留めている。このバックルとバンドとの組み合わせは、バンドが例えば摩擦係数の小さい樹脂製のものである場合でも確実に機能する。
【００１０】
図３は、本発明のバックルとバンドとの組み合わせ９をシューズ２５に適用した様子を示す斜視図である。シューズ２５の甲部分に伸縮部２７が設けられている。この部分にバックルとバンドとの組み合わせ９が設けられているので、着用時に足にフィットさせて留めることができる。このバックルとバンドとの組み合わせによれば、薄くて丈夫な材質のバンドが適用できる。また、各種材質のバンドを選ぶことができるので、シューズのファッション性を高めることができる。
【００１１】
【実施例】
以下、実施例によって本発明の効果が明らかにされるが、この実施例の記載に基づいて本発明が限定的に解釈されるべきはない。
【００１２】
バックルは、長さ６５ｍｍ、幅３０ｍｍで、厚さ３ｍｍの硬質ポリエチレン製の本体に、長さ２２ｍｍ、幅６ｍｍのスリットを本体長さ方向端から９ｍｍのその中心が一するように２個設けた。このバックルの中央部に高さ及び直径が１ｍｍの突起を設けた。このスリットに、幅２０ｍｍで、厚さ０．７のポリエステル製のバンド２本を装着した。上記突起は、バンドに設けられた直径２ｍｍの孔に係止された。それぞれのバンドの自由端を強く引っ張ったり、緩めたりしてもバンドが外れることはなかった。
【発明の効果】
以上説明した、本発明のバックルとバンドの組み合わせ構造は、簡単であるが従来のものよりも確実にバンドを留めることができる。
【図面の簡単な説明】
【図１】図１は、本発明の一実施形態にかかるバックルが示された斜視図である。
【図２】図２は、図１のバックルにバンドを装着した様子を示す断面図である。
【図３】図３は、本発明のバックルとバンドとの組み合わせ構造の適用例を示す斜視図である。
【図４】図４は、従来のバックルとバンドとの組み合わせ構造例を示す断面図である。
【符号の説明】
１、３３・・・バックル
３・・・バックル本体
５、５’、３５、３５’・・・スリット
７・・・突起
９、３１・・・バックルとバンドとの組み合わせ
１１、１３、３７・・・バンド
１５・・・バンドの孔
１７、１９、２１、２３・・・スリット角部
【図１】
2004275204.tif 000003
【図２】
2004275204.tif 000004
【図３】
2004275204.tif 000005
【図４】
2004275204.tif 000006